(57)【要約】      （修正有）【課題】異なるサイズのディスプレイスクリーンを迅速かつ便利に支持体に接合可能なクイックリリースアセンブリと支持体を提供する。【解決手段】少なくとも１セットのマウティング孔を有するディスプレイスクリーンを取り付けるクイックリリースアセンブリと支持体であって、クイックリリースアセンブリは第１、第２クイックリリースユニットを含む。第１クイックリリースユニットは、支持体に配置され、係合板１１２に組み付けられた第１カバー１１１、第１カバーの開口から部分的に露出したボタン１１３、第１カバーと係合板の間に配置された従動止め板１１４、及び弾性部材１１５を含む。第２クイックリリースユニットは、少なくとも１つの位置合わせ孔と固定孔、及び少なくとも１セットの取り付け孔を有する接合板１２１と、接合板に組み付けられ、ノッチを含む第２カバーと、取り付け孔及びマウティング孔に挿入されてディスプレイスクリーンを接合板に固定する固定部材とを含む。【選択図】図５
0003227620.tif 000002
【実用新案登録請求の範囲】
【請求項１】
少なくとも１セットのマウティング孔を有するディスプレイスクリーンを支持体に取り付けるように構成されたクイックリリースアセンブリであって、前記クイックリリースアセンブリは、
開口を含む第１カバーと、
前記第１カバーに組み付けられ、少なくとも１つの位置合わせフックを含む係合板と、
前記開口から部分的に露出されるボタンと、
前記第１カバーと前記係合板の間に配置され、前記ボタンに連結され、且つ少なくとも１つの固定フックを含む従動止め板と、
一端が前記従動止め板に当接し、他端が前記第１カバー及び前記係合板のいずれかに当接する弾性部材と、
を含み、前記支持体に配置される第１クイックリリースユニットと、
少なくとも１つの位置合わせ孔、少なくとも１つの固定孔、及び少なくとも１セットの取り付け孔を含む接合板と、
前記接合板に組み付けられ、ノッチを含む第２カバーと、
前記少なくとも１セットの取り付け孔と前記少なくとも１セットのマウティング孔にそれぞれ対応して挿入され、前記ディスプレイスクリーンを前記接合板に固定する複数の固定部材と、
を含む第２クイックリリースユニットと、
を含み、
前記第１クイックリリースユニットが前記ノッチを介して前記第２クイックリリースユニットと係合される時、前記少なくとも１つの位置合わせフックは前記少なくとも１つの位置合わせ孔内に対応して嵌合され、且つ前記少なくとも１つの固定フックは前記少なくとも１つの固定孔内に対応して嵌合され、それによって前記ディスプレイスクリーンは前記支持体に対応して取り付けれ、外力が加えられて前記ボタンが押される時に前記従動止め板が駆動され、前記少なくとも１つの固定フックが前記少なくとも１つの固定孔から取り外され、それによって前記第１クイックリリースユニットと前記第２クイックリリースユニットが互いに分離される、クイックリリースアセンブリ。
【請求項２】
前記接合板は前記第２カバーに向かって突出する少なくとも１つの第１ウィングを含み、前記少なくとも１つの位置合わせ孔は前記少なくとも１つの第１ウィング上に対応して形成される、請求項１に記載のクイックリリースアセンブリ。
【請求項３】
前記接合板は前記第２カバーに向かって突出する少なくとも１つの第２ウィングを含み、前記少なくとも１つの固定孔は前記少なくとも１つの第２ウィング上に対応して形成される、請求項２に記載のクイックリリースアセンブリ。
【請求項４】
前記第２カバーは前記ノッチに対応する凹部空間を含み、前記第１クイックリリースユニットが前記第２クイックリリースユニットと係合する時、前記係合板は前記凹部空間に収容され、前記接合板に当接する、請求項３に記載のクイックリリースアセンブリ。
【請求項５】
前記第２カバーは主板、前記主板に接続された外部周囲板、及び前記主板に接続された内部周囲板を含み、前記ノッチは前記主板上に形成され、前記内部周囲板は前記ノッチを囲み、前記接合板に向かって延伸し、それによって前記凹部空間が定義される、請求項４に記載のクイックリリースアセンブリ。
【請求項６】
少なくとも１つの第１切り欠き及び少なくとも１つの第２切り欠きが前記内部周囲板上に形成され、前記少なくとも１つの第１ウィングは、前記少なくとも１つの第１切り欠きに収容され、前記少なくとも１つの第２ウィングは、前記少なくとも１つの第２切り欠きに対応して収容される、請求項５に記載のクイックリリースアセンブリ。
【請求項７】
前記少なくとも１セットの取り付け孔のセットの数が２以上であり、各セットの取り付け孔がＶＥＳＡによって定義される規格を満たす、請求項１に記載のクイックリリースアセンブリ。
【請求項８】
前記ボタンが傾斜面を含み、前記従動止め板が傾斜壁面を含み、前記傾斜面が前記傾斜壁面と接触するように合わせられている、請求項１に記載のクイックリリースアセンブリ。
【請求項９】
前記第１クイックリリースユニットはバネを更に含み、前記係合板は前記従動止め板を貫通する第１位置決め柱を含み、前記バネは前記第１位置決め柱上に被せて設けられる、請求項８に記載のクイックリリースアセンブリ。
【請求項１０】
前記従動止め板は少なくとも１つの滑動溝を含み、前記第１カバーは少なくとも１つの第２位置決め柱を含み、前記少なくとも１つの第２位置決め柱は前記少なくとも１つの滑動溝を対応して貫通する、請求項９に記載のクイックリリースアセンブリ。
【請求項１１】
前記ボタンと前記従動止め板とは、構造的に一体に形成される、請求項１に記載のクイックリリースアセンブリ。
【請求項１２】
支持体であって、少なくとも１セットのマウティング孔を含む複数のディスプレイスクリーンを前記支持体に取り付けることができ、前記支持体は、
本体と、
第１クイックリリースユニットと第２クイックリリースユニットを含み、前記第１クイックリリースユニットは前記本体に接続され、前記第２クイックリリースユニットは前記ディスプレイスクリーンに接続されるクイックリリースアセンブリと、
を含み、
前記第１クイックリリースユニットは、
開口を含む第１カバーと、
前記第１カバーに組み付けられ、少なくとも１つの位置合わせフックを含む係合板と、
前記開口から部分的に露出されるボタンと、
前記第１カバーと前記係合板の間に配置され、前記ボタンに連結され、少なくとも１つの固定フックを含む従動止め板と、
一端が前記従動止め板に当接し、他端が前記第１カバー及び前記係合板のいずれかに当接する弾性部材と、
を含み、
前記第２クイックリリースユニットは、
少なくとも１つの位置合わせ孔、少なくとも１つの固定孔、及び少なくとも１セットの取り付け孔を含む接合板と、
前記接合板に組み付けられ、ノッチを含む第２カバーと、
前記少なくとも１セットの取り付け孔と前記少なくとも１セットのマウティング孔にそれぞれ対応して挿入され、前記ディスプレイスクリーンを前記接合板に固定する複数の固定部材と、
を含み、
前記第１クイックリリースユニットが前記ノッチを介して前記第２クイックリリースユニットと係合される時、前記少なくとも１つの位置合わせフックは前記少なくとも１つの位置合わせ孔内に対応して嵌合され、且つ前記少なくとも１つの固定フックは前記少なくとも１つの固定孔内に対応して嵌合され、それによって前記ディスプレイスクリーンは前記支持体に対応して取り付けれ、外力が加えられて前記ボタンが押される時に前記従動止め板が駆動され、前記少なくとも１つの固定フックが前記少なくとも１つの固定孔から取り外され、それによって前記第１クイックリリースユニットと前記第２クイックリリースユニットが互いに分離される、支持体。
【請求項１３】
前記本体がスタンド本体である、請求項１２に記載の支持体。
【請求項１４】
前記本体は、
ベースと、
前記ベースに垂直に配置される直立体と、
を含み、前記直立体は、取り付け端を含み、前記第１クイックリリースユニットは、前記取り付け端に取り付けられる、請求項１３に記載の支持体。
【請求項１５】
前記直立体はスライディングレールを含み、前記本体は、前記スライディングレールに移動可能に配置されたスライディングトランクを更に含む、請求項１４に記載の支持体。
【請求項１６】
前記本体がアーム本体である、請求項１２に記載の支持体。
【請求項１７】
前記接合板は前記第２カバーに向かって突出する少なくとも１つの第１ウィングを含み、前記少なくとも１つの位置合わせ孔は前記少なくとも１つの第１ウィング上に対応して形成される、請求項１２に記載の支持体。
【請求項１８】
前記接合板は前記第２カバーに向かって突出する少なくとも１つの第２ウィングを含み、前記少なくとも１つの固定孔は前記少なくとも１つの第２ウィング上に対応して形成される、請求項１７に記載の支持体。
【請求項１９】
前記第２カバーは前記ノッチに対応する凹部空間を含み、前記第１クイックリリースユニットが前記第２クイックリリースユニットと係合する時、前記係合板は前記凹部空間に収容され、前記接合板に当接する、請求項１８に記載の支持体。
【請求項２０】
前記第２カバーは主板、前記主板に接続された外部周囲板、及び前記主板に接続された内部周囲板を含み、前記ノッチは前記主板上に形成され、前記内部周囲板は前記ノッチを囲み、前記接合板に向かって延伸し、それによって前記凹部空間が定義される、請求項１９に記載の支持体。
【請求項２１】
少なくとも１つの第１切り欠き及び少なくとも１つの第２切り欠きが前記内部周囲板上に形成され、前記少なくとも１つの第１ウィングは、前記少なくとも１つの第１切り欠きに収容され、前記少なくとも１つの第２ウィングは、前記少なくとも１つの第２切り欠きに対応して収容される、請求項２０に記載の支持体。
【請求項２２】
前記少なくとも１セットの取り付け孔のセットの数が２以上であり、各セットの取り付け孔がＶＥＳＡによって定義される規格を満たす、請求項１４に記載の支持体。
【請求項２３】
前記ボタンが傾斜面を含み、前記従動止め板が傾斜壁面を含み、前記傾斜面が前記傾斜壁面と接触するように合わせられている、請求項１２に記載の支持体。
【請求項２４】
前記第１クイックリリースユニットはバネを更に含み、前記係合板は前記従動止め板を貫通する第１位置決め柱を含み、前記バネは前記第１位置決め柱上に被せて設けられる、請求項２３に記載の支持体。
【請求項２５】
前記従動止め板は少なくとも１つの滑動溝を含み、前記第１カバーは少なくとも１つの第２位置決め柱を含み、前記少なくとも１つの第２位置決め柱は前記少なくとも１つの滑動溝を対応して貫通する、請求項１２に記載の支持体。
【請求項２６】
前記ボタンと前記従動止め板とは、構造的に一体に形成される、請求項１２に記載の支持体。
【考案の詳細な説明】
【技術分野】
【０００１】
本考案は、クイックリリースアセンブリ及び支持体に関し、特に、異なるサイズのディスプレイスクリーンに適用可能なクイックリリースアセンブリ及び支持体に関する。
【背景技術】
【０００２】
一般に、液晶ディスプレイスクリーン（ＬＣＤ）の背面には、マウティング孔のセット（例えば、ＣＮ２０７０７３６８２Ｕに開示されているＶＥＳＡ標準のマウティング孔）が提供されており、それによって、ディスプレイスクリーンは、支持体の接合板（ＶＥＳＡ板）に螺合される。
【０００３】
しかしながら、そのような螺合方法は、迅速かつ便利に行うことができない。例えば、メンテナンスや調整のためにディスプレイスクリーンを取り外すには時間がかかる。そこで、クイックリリース機能を備えたＴＷＭ４３９８３０に開示されたディスプレイがあり、そのディスプレイは、第１係合部と第１嵌合部を備えた表示パネル、支持体、第２係合部と第２嵌合部を備えた接合機構を備えている。このようにして、ディスプレイパネルを支持体にすばやく取り付けたり、支持体からすばやく取り外したりすることができる。但し、このような表示パネルのハウジングの裏面には、特定の構造（例えば、第１係合部、第１嵌合部、特定サイズの収容空間）が設けられており、１セットの孔のようなものとは異なり、複雑さのために国際協定を通じて指定されることはできず、１つのタイプのディスプレイパネルは特定の規格の支持体にしか適合できず、生産の共通性が低くなっている。言い換えれば、１つの規格のみの支持体は、通常、異なるサイズ及び重量のディスプレイパネルに適合できず（孔のセットが異なるため）、開発及び製造のコストを効果的に削減することができない。
【考案の概要】
【考案が解決しようとする課題】
【０００４】
本考案は、異なるサイズのディスプレイスクリーンに適用可能なクイックリリースアセンブリと支持体を提供する。
【課題を解決するための手段】
【０００５】
本考案のクイックリリースアセンブリは、少なくとも１セットのマウティング孔を有するディスプレイスクリーンを支持体に取り付けるように構成される。前記クイックリリースアセンブリは第１クイックリリースユニットと第２クイックリリースユニットを含む。前記第１クイックリリースユニットは支持体に配置され、第１カバー、係合板、ボタン、従動止め板、及び弾性部材を含む。前記第１カバーは開口を有する。前記係合板は前記第１カバーに組み付けられ、前記係合板は少なくとも１つの位置合わせフックを有する。前記ボタンは前記開口から部分的に露出される。前記従動止め板は、前記第１カバーと前記係合板の間に配置され、前記ボタンと連結される。前記従動止め板は、少なくとも１つの固定フックを含む。前記弾性部材は、一端が前記従動止め板に当接し、他端が前記第１カバー及び前記係合板のいずれかに当接する。前記第２クイックリリースユニットは、接合板、第２カバー、及び複数の固定部材を含む。前記接合板は、少なくとも１つの位置合わせ孔、少なくとも１つの固定孔、及び少なくとも１セットの取り付け孔を有する。前記第２カバーは前記接合板に組み付けられ、ノッチを含む。前記複数の固定部材は、それぞれ前記取り付け孔及び前記マウティング孔に対応して挿入され、前記ディスプレイスクリーンを前記接合板に固定する。前記第１クイックリリースユニットが前記ノッチを介して前記第２クイックリリースユニットと係合される時、前記位置合わせフックは前記位置合わせ孔内に対応して嵌合され、前記固定フックは前記固定孔内に対応して嵌合され、それによって前記ディスプレイスクリーンは前記支持体に取り付けられる。外力が加えられて前記ボタンが押される時、前記従動止め板が駆動され、前記固定フックが前記固定孔から取り外され、それによって前記第１クイックリリースと前記第２クイックリリースユニットが互いに分離される。
【０００６】
本考案の実施形態では、前記接合板は前記第２カバーに向かって突出する少なくとも１つの第１ウィングを有し、前記位置合わせ孔は前記第１ウィングに対応して形成される。
【０００７】
本考案の実施形態では、前記接合板は前記第２カバーに向かって突出する少なくとも１つの第２ウィングを有し、前記固定孔は前記第２ウィングに対応して形成される。
【０００８】
本考案の実施形態では、前記第２カバーは前記ノッチに対応する凹部空間を有し、前記第１クイックリリースユニットが前記第２クイックリリースユニットと係合する時、前記係合板は前記凹部空間に収容され、前記接合板に当接する。
【０００９】
本考案の実施形態では、前記第２カバーは主板を有し、前記主板に接続される外部周囲板、及び前記主板に接続される内部周囲板を有し、前記ノッチは前記主板に形成され、前記内部周囲板は前記ノッチを囲み、前記接合板に向かって延伸し、それによって前記凹部空間が定義される。
【００１０】
本考案の実施形態では、少なくとも１つの第１切り欠きと少なくとも１つの第２切り欠きが前記内部周囲板に形成され、前記第１ウィングは前記第１切り欠きに収容され、前記第２ウィングは前記第２切り欠きに対応して収容される。
【００１１】
本考案の実施形態では、前記取り付け孔のセットの数は２以上で、各セットの取り付け孔はＶＥＳＡで定義される規格を満たす。
【００１２】
本考案の実施形態では、前記ボタンは傾斜面を有し、前記従動止め板は傾斜壁面を有し、前記傾斜面は前記傾斜壁面と接触するように合わせられる。
【００１３】
本考案の実施形態では、前記第１クイックリリースユニットは更にバネを含み、前記係合板は前記従動止め板を貫通する第１位置決め柱を有し、前記バネは前記第１位置決め柱に被せて設けられる。
【００１４】
本考案の実施形態では、前記従動止め板は少なくとも１つの滑動溝を有し、前記第１カバーは少なくとも１つの第２位置決め柱を有し、前記第２位置決め柱は滑動溝を対応して貫通する。
【００１５】
本考案の実施形態では、前記ボタンと前記従動止め板が一体に形成される。
【００１６】
本考案では、少なくとも１セットのマウティング孔を有する複数のディスプレイスクリーンを支持体に取り付け可能な支持体が提供される。前記支持体は本体とクイックリリースアセンブリを含む。前記クイックリリースアセンブリは第１クイックリリースユニットと第２クイックリリースユニットを含み、前記第１クイックリリースユニットは前記本体に取り付けられ、前記第２クイックリリースユニットは前記ディスプレイスクリーンに取り付けられる。第１クイックリリースユニットは、第１カバー、係合板、ボタン、従動止め板、及び弾性部材を含む。前記第１カバーは、開口を含む。前記係合板は、前記第１カバーに組み付けられ、前記係合板は少なくとも１つの位置合わせフックを含む。前記ボタンは前記開口から部分的に露出される。前記従動止め板は前記第１カバーと前記係合板の間に配置され、前記ボタンと連結され、前記従動止め板は少なくとも１つの固定フックを含む。前記弾性部材は、一端が前記従動止め板に当接し、他端が前記第１カバー及び前記係合板のいずれかに当接する。前記第２クイックリリースユニットは、接合板、第２カバー、及び複数の固定部材を含む。前記接合板には、少なくとも１つの位置合わせ孔、少なくとも１つの固定孔、及び少なくとも１セットの取り付け孔を有する。前記第２カバーは前記接合板に組み付けられ、ノッチを含む。前記複数の固定部材は、それぞれ前記取り付け孔及び前記マウティング孔に対応して挿入され、前記ディスプレイスクリーンを前記接合板に固定する。前記第１クイックリリースユニットが前記ノッチを介して前記第２クイックリリースユニットと係合される時、前記位置合わせフックは前記位置合わせ孔内に対応して嵌合し、前記固定フックは前記固定孔内に対応して嵌合し、それによって前記ディスプレイスクリーンは前記支持体に取り付けられる。外力が加えられて前記ボタンが押される時、前記従動止め板が駆動され、前記固定フックが前記固定孔から取り外され、前記第１クイックリリースと前記第２クイックリリースユニットが互いに分離される。
【００１７】
本考案の実施形態では、前記本体はスタンド本体である。
【００１８】
本考案の実施形態では、前記本体は、ベース及び前記ベースに垂直に配置された直立体を含み、前記直立体は、取り付け端を有し、前記第１クイックリリースユニットは、前記取り付け端に取り付けられる。
【００１９】
本考案の実施形態では、前記直立体は、スライディングレールを含み、前記本体は前記スライディングレールに移動可能に配置されたスライディングトランクを更に含む。
【００２０】
本考案の実施形態では、前記本体はコネクティングアームタイプの本体である。
【００２１】
本考案の実施形態では、前記接合板は前記第２カバーに向かって突出する少なくとも１つの第１ウィングを有し、前記位置合わせ孔は前記第１ウィングに対応して形成される。
【００２２】
本考案の実施形態では、前記接合板は前記第２カバーに向かって突出する少なくとも１つの第２ウィングを有し、前記固定孔は前記第２ウィングに対応して形成される。
【００２３】
本考案の実施形態では、前記第２カバーはノッチに対応する凹部空間を有し、前記第１クイックリリースユニットが前記第２クイックリリースユニットと係合する時、前記係合板は前記凹部空間に収容され、前記接合板に当接する。
【００２４】
本考案の実施形態では、前記第２カバーは主板、前記主板に接続される外部周囲板、及び前記主板に接続される内部周囲板を有し、前記ノッチは前記主板に形成され、前記内部周囲板は前記ノッチを囲み、前記接合板に向かって延伸し、それによって前記凹部空間が定義される。
【００２５】
本考案の実施形態では、少なくとも１つの第１切り欠きと少なくとも１つの第２切り欠きが前記内部周囲板に形成され、前記第１ウィングは前記第１切り欠きに収容され、前記第２ウィングは第２切り欠きに対応して収容される。
【００２６】
本考案の実施形態では、前記取り付け孔のセットの数は２以上であり、各セットの取り付け孔はＶＥＳＡによって定義される規格を満たす。
【００２７】
本考案の実施形態では、前記ボタンは傾斜面を有し、前記従動止め板は傾斜壁面を有し、前記傾斜面は前記傾斜壁面と接触するように合わせられる。
【００２８】
本考案の実施形態では、前記第１クイックリリースユニットは更にバネを含み、前記係合板は前記従動止め板を貫通する第１位置決め柱を有し、前記バネは前記第１位置決め柱に被せて設けられる。
【００２９】
本考案の実施形態では、前記従動止め板は少なくとも１つの滑動溝を有し、前記第１カバーは少なくとも１つの第２位置決め柱を有し、前記第２位置決め柱は滑動溝を対応して貫通する。
【００３０】
本考案の実施形態では、前記ボタンと前記従動止め板が構造的に一体に形成されている。
【考案の効果】
【００３１】
上記に基づいて、本考案のクイックリリースアセンブリの前記第２クイックリリースユニットは、少なくとも１セットの取り付け孔を含むため、前記クイックリリースアセンブリの前記第２クイックリリースユニットの前記接合板は、前記ディスプレイスクリーンに取り付けられる異なるサイズのディスプレイスクリーンの孔の位置に対応することができ、前記ディスプレイスクリーンは、前記第１クイックリリースユニットと前記第２クイックリリースユニットを分解することにより、前記支持体から便利且つ簡単に取り外すことができる。
【図面の簡単な説明】
【００３２】
【図１Ａ】本考案の第１実施形態によるディスプレイスクリーン及び支持体の概略分解図である。
【図１Ｂ】本考案の別の実施形態によるアーム本体上に組み付けられた図１に示されるディスプレイスクリーンの概略図である。
【図２】図１Ａのクイックリリースアセンブリの組み立ての概略図である。
【図３】図２のクイックリリースアセンブリの第１クイックリリースユニット及び第２クイックユニットの概略分解図である。
【図４】図３のクイックリリースアセンブリの概略分解図である。
【図５】別の視角からの図４の概略図である。
【図６】支持体に組み付けられたディスプレイスクリーンの概略図である。
【図７】支持体に組み付けられたディスプレイスクリーンの概略図である。
【図８】従動止め板がボタンによって押されて移動することによって第１リリースユニットから取り外された第２クイックリリースユニットの概略図である。
【図９】従動止め板がボタンによって押されて移動することによって第１リリースユニットから取り外された第２クイックリリースユニットの概略図である。
【図１０】本考案の第２実施形態によるクイックリリースアセンブリの組み合わせの概略図である。
【図１１】図１０のクイックリリースアセンブリの概略分解図である。
【図１２】上部カバーと下部カバーに分割された第１カバーの概略図である。
【考案を実施するための形態】
【００３３】
本考案の機能と利点を明確かつ理解し易くするために、以下に実施形態の詳細な説明を図面と合わせて示す。
【００３４】
本考案はクイックリリースアセンブリとクイックリリースアセンブリを用いた支持体を提供する。本考案のクイックリリースアセンブリは、少なくとも１セットの取り付け孔を含み、異なるセットの取り付け孔は、それぞれ異なるサイズのディスプレイスクリーンの異なるセットの孔の位置に対応する。したがって、支持体は、クイックリリースアセンブリを用いた異なるサイズのディスプレイスクリーンに適用することができる。
【００３５】
更に、クイックリリースアセンブリは取り付けと分解が簡単であるため、ユーザがディスプレイスクリーンを支持体にすばやく簡単に取り付けこと、又はディスプレイスクリーンを支持体から取り外すことに便利である。
【００３６】
以下では、本考案のクイックリリースアセンブリと支持体について説明する。
［第１実施形態］
図１Ａは、本考案の第１実施形態によるディスプレイスクリーン及び支持体の概略分解図である。図１Ａを参照すると、本考案のクイックリリースアセンブリ１００は、異なるサイズ又は重量のディスプレイスクリーン４００に適用することができる。言い換えれば、クイックリリースアセンブリ１００を有する支持体３００は、異なるサイズのディスプレイスクリーン４００を支持することに使用されることができる。クイックリリースアセンブリ１００は、複数の固定部材３２０を使用することにより、ディスプレイスクリーン４００のマウティング孔４１０（図には１セットのマウティング孔４１０のみが示される）に固定される。例えば、固定部材３２０はネジであるが、これに限定するものではなく、又はスタッドとナットの組み合わせ、又は適用され得る他の別個の要素又は組み合わせであることができ、それらは実際の必要に応じて選択されることができる。尚、ディスプレイスクリーン４００は1セットのマウティング孔４１０のみでなくてもよい。
【００３７】
図２は、図１Ａのクイックリリースアセンブリの組み立ての概略図である。図３は、図２のクイックリリースアセンブリの第１クイックリリースユニット及び第２クイックユニットの概略分解図である。図１Ａ、図２、及び図３を参照し、支持体３００は本体３１０及びクイックリリースアセンブリ１００を含む。クイックリリースアセンブリ１００は第１クイックリリースユニット１１０と第２クイックリリースユニット１２０を含む。第１クイックリリースユニット１１０は本体３１０に取り付けられ、第２クイックリリースユニット１２０はディスプレイスクリーン４００に取り付けられる。
【００３８】
本実施形態では、本体３１０はスタンド本体である。スタンド本体は、ベース３１２と直立体３１４を含む本体３１０である。ベース３１２は、デスクトップなどの作業面上に配置されることができ、直立体３１４は、ベース３１２上に垂直に配置される。直立体３１４は取り付け端３１４ａを有し、クイックリリースアセンブリ１００の第１クイックリリースユニット１１０は取り付け端３１４ａに取り付けられる。一実装では、ベース３１２に対する取り付け端３１４ａの高さが固定され得る。しかしながら、別の実装では、直立材３１４は少なくとも１つのスライドレール（図示せず）を有することができ、本体３１０は更にスライドレール内に移動可能に配置されたスライドトランク（図示せず）を含み、そして取り付け端３１４ａはスライドトランク（図示せず）に組み付けられる。このように、スライディングレール（図示せず）内のスライディングトランク（図示せず）の位置を変更することにより、ベース３１２に対するディスプレイスクリーン４００の高さを変更することができる。
【００３９】
スタンド本体と比較して、図１Ｂとして示される別の実施形態において、本体３１０’はまた、アーム（又は関節アーム）本体であり得る。コネクティングアームタイプ本体３１０’は天井又は壁面Ｗに取り付けられ、コネクティングアームタイプ本体３１０’は複数のコネクティングロッドで構成されることができ、本体３１０’に取り付けられたディスプレイスクリーン４００を本体３１０’の可動範囲内で停止させることができる。
【００４０】
図４は、図３のクイックリリースアセンブリの概略分解図である。図５は、別の視角からの図４の概略図である。図３、図４、及び図５を参照し、第１クイックリリースユニット１１０は第１カバー１１１、係合板１１２、ボタン１１３、従動止め板１１４、及び弾性部材１１５を含む。第１カバー１１１と係合板１１２は螺合方式で組み立てることができる。従動止め板１１４と弾性部材１１５は第１カバー１１１と係合板１１２の間に配置される。ボタン１１３は従動止め板１１４と連結され、従動止め板１１４は第１カバー１１１と係合板１１２から突出する１対の固定フック１１４ａを有する。弾性部材１１５は、第１カバー１１１の内面に配置され、従動止め板１１４と接触して、従動止め板１１４が元の位置を離れた後、従動止め板１１４を元の位置に戻す弾性復元力を提供する。係合板１１２は１対の位置合わせフック１１２ａを有し、位置合わせフック１１２ａは間隔をあけて配置される。固定フック１１４ａは位置合わせフック１１２ａと同様に配置され、固定フック１１４ａも間隔をあけて配置される。
【００４１】
第２クイックリリースユニット１２０は接合板１２１と第２カバー１２２を含む。接合板１２１と第２カバー１２２は、螺合方式で互いに組み立てることができる。接合板１２１は、１対の位置合わせ孔１２１ａ、１対の固定孔１２１ｂ、及び２セットの取り付け孔１２１ｃ及び１２１ｄを有するが、これに限定するものではない。例えば、１セット又は３セット以上の取り付け孔であることができるが、原則として、ＶＥＳＡによって定義された孔の位置の長さと幅に従って、任意のセットの取り付け孔が選択され、例えば、５０ｍｍ×５０ｍｍ、７５ｍｍ×７５ｍｍ、又は１００ｍｍ×２００ｍｍである。
【００４２】
接合板１２１は、１セットの取り付け孔１２１ｃ又は１２１ｄと適合する固定部材３２０を使用してディスプレイスクリーン４００のマウティング孔４１０に取り付けられる。第１クイックリリースユニット１１０の係合板１１２の位置合わせフック１１２ａは位置合わせ孔１２１ａ内に対応して嵌合し、第１クイックリリースユニット１１０の従動止め板１１４の固定フック１１４ａは固定孔１２１ｂ内に対応して嵌合し、それによって第１クイックリリースユニット１１０は第２クイックリリースユニット１２０に組み付けられる。言い換えると、ディスプレイスクリーン４００のほとんど全ての背面には、ＶＥＳＡによって定義された孔の位置が事前に与えられているため、接合板１２１は、例えば、螺合方式でディスプレイスクリーン４００の背面に固定されることができ、ディスプレイスクリーン４００の背面は複雑なクイックリリース構造を事前に提供する必要がない。
【００４３】
具体的に、接合板１２１は第２カバー１２２に向かって突出する１対の第１ウィング１２１１を有し、位置合わせ孔１２１ａが第１ウィング１２１１に形成される。配置される第１ウィング１２１１及び位置合わせ孔１２１ａの数は、本実施形態の例によって限定するものではない。当業者は、実際の必要に応じて第１ウィング１２１１及び位置合わせ孔１２１ａの数を１つ又は少なくとも３つに変更することができ、従って位置合わせフック１１２ａの数を増減させることができる。
【００４４】
また、接合板１２１は第２カバー１２２に向かって突出する１対の第２ウィング１２１２を有し、固定孔１２１ｂが第２ウィング１２１２に形成される。第２ウィング１２１２及び固定孔１２１ｂの数は、本実施形態の例によって限定するものではない。当業者は、実際の必要に応じて第２ウィング１２１２及び固定孔１２１ｂの数を１つ又は少なくとも３つに変更することができ、従って固定フック１１４ａの数を増減させることができる。
【００４５】
第２カバー１２２は、互いに接続された主板１２２ａ、外部周囲板１２２ｂ、及び内部周囲板１２２ｃを含む。ノッチ１２２ｄは主板１２２ａ上に形成され、内部周囲板１２２ｃはノッチ１２２ｄを囲んで接合板１２１に向かって延伸し、それによってノッチ１２２ｄに対応する凹部空間１２２ｅが定義される。少なくとも１つの第１切り欠き１２２２ａ及び少なくとも１つの第２切り欠き１２２２ｂが内部周囲板１２２ｃ上に形成される。第１ウィング１２１１は第１切り欠き１２２２ａに収容され、第２ウィング１２１２は第２切り欠き１２２２ｂに対応して収容される。第１ウィング１２１１及び第２ウィング１２１２は更に、第１切り欠き１２２２ａ及び第２切り欠き１２２２ｂが形成される内部周囲板１２２ｃの部分に当接し、それによって第２カバー１２２の強度を増大させる。第１クイックリリースユニット１１０が第２クイックリリースユニット１２０と係合される時、係合板１１２は凹部空間１２２ｅに収容され、接合板１２１に当接する。
【００４６】
本実施形態では、第１カバー１１１は貫通した開口１１１ａを含み、ボタン１１３は開口１１１ａに配置され、ボタン１１３が押されて従動止め板１１４の移動を駆動することができる。他の実装形態では、変形能力を備えた可撓性材料（例えば、マイラー）が開口１１１ａに配置されてボタン１１３の押圧に影響を与えることなくボタン１１３を遮蔽することができる。尚、第１カバー１１１は完全なカバーでもよいし、図１２に示すように、上部カバー１１１１と下部カバー１１１２の２つのカバー本体で形成されてもよい。或いは、第１カバー１１１は、２つより多いカバー本体によって形成されてもよく、これは、実際の必要に応じて決定されることができる。上部カバー１１１１と下部カバー１１１２の２つのカバー本体を組み合わせる方法は、組み立てが簡単であるという利点がある。
【００４７】
以上のことを踏まえ、本実施形態では、ボタン１１３と従動止め板１１４が移動する方向は、第１カバー１１１又は係合板１１２の内部構造設計により制限され得る。本実施形態では、ボタン１１３が移動する方向と従動止め板１１４が移動する方向は互いに直交する。
【００４８】
具体的には、本実施形態の係合板１１２は第１カバー１１１に向かって延伸する第１位置決め柱１１２ｂを含み、従動止め板１１４は中央穿孔１１４１を含む。第１位置決め柱１１２ｂは従動止め板１１４の中央穿孔１１４１を貫通し、ボタン１１３に延伸することができ、これによってボタン１１３は第１位置決め柱１１２ｂの軸方向方向（即ち、第１方向Ｄ１）に移動し、係合板１１２に比較的近づくか、又は係合板１１２から離れる。他の実施形態では、係合板１１２に向かって延伸する１対の制限壁を第１カバー１１１上に形成して、ボタン１１３が移動する方向を制限することができる。
【００４９】
前述のように、ボタン１１３は傾斜面１１３ａを含み、従動止め板１１４は中央穿孔１１４１に当接する傾斜壁面１１４２（図４を参照）を含む。ボタン１１３が外力によって押されて第１位置決め柱１１２ｂの軸方向内に移動して係合板１１２に近づく過程で、傾斜面１１３ａは従動止め板１１４の傾斜壁面１１４２と接触し、ボタン１１３が係合板１１２に近づき続けると、傾斜面１１３ａは傾斜壁面１１４２と協働して互いに押し合い、それによって従動止め板１１４が第２方向Ｄ２（即ち、図４又は図５における上向きの方向）に向かって移動する。
【００５０】
第１カバー１１１は係合板１１２に近い片側に１対の第２位置決め柱１１１ｂを含み、従動止め板１１４は１対の滑動溝１１４ｂを含み、第２位置決め柱１１１ｂは滑動溝１１４ｂに対応して配置される。第２位置決め柱１１１ｂは滑動溝１１４ｂと係合し、それによって方向と従動止め板１１４の移動距離を正確に定義することができる。本実施形態では第２位置決め柱１１１ｂを第１カバー１１１に配置し、滑動溝１１４ｂを従動止め板１１４に配置して説明しているが、当業者は、第２位置決め柱１１１ｂを従動止め板１１４に配置し、滑動溝１１４ｂを第１カバー１１１に配置しても同様の効果が得られることを理解することができる。
【００５１】
更に、第１カバー１１１は、係合板１１２に面する一側に１対の第３位置決め柱１１１ｃを含み、弾性部材１１５は、２つのリング部分１１５ａを含み、リング部分１１５ａはそれぞれ第３位置決め柱１１１ｃ上に対応して被せて設けられる。
【００５２】
また、外力が取り除かれた後にボタン１１３を元の位置に戻すことができるようにするため、第１クイックリリースユニット１１０は更にバネ１１６を含む。本実施形態では、バネ１１６は圧縮バネである。バネ１１６は第１位置決め柱１１２ｂに被せて設けられ、且つボタン１１３の内側に配置できる。通常の状態（ボタン１１３が外力によって押されていない）では、バネ１１６はボタン１１３を係合板１１２から押し離そうとする。
【００５３】
また、バネ１１６によりボタン１１３が駆動されて元の位置に戻る過程で、弾性部材１１５の弾性復元力が従動止め板１１４に加えられ、従動止め板１１４が元の位置に戻るように駆動される。言い換えれば、通常の状態（ボタン１１３が外力によって押されていない）では、弾性部材１１５は、従動止め板１１４を第２方向Ｄ２の反対の方向（例えば、図４又は図５の下向き方向）に押そうとする。
【００５４】
図６及び図７は、支持体に組み付けられたディスプレイスクリーンの概略図である。図１Ａ、図３及び図６を参照し、支持体３００を使用する時、第２クイックリリースユニット１２０はディスプレイスクリーン４００に取り付けられ、第２クイックリリースユニット１２０の接合板１２１の取り付け孔１２１ｃの第１セットはディスプレイスクリーン４００の孔の位置に対応し、第１クイックリリースユニット１１０は本体３１０の直立体３１４の取り付け端３１４ａに取り付けられている。
【００５５】
次に、第１クイックリリースユニット１１０の係合板１１２の位置合わせフック１１２ａは、第２クイックリリースユニット１２０の接合板１２１の位置合わせ孔１２１ａ（図４に示される）内に対応して嵌合される。そして、ディスプレイスクリーン４００の下端は、位置合わせフック１１２ａと位置合わせ孔１２１ａの接合部を回転軸として回転され、固定フック１１４ａを固定孔１２１ｂ内に嵌合させる。このように、図７に示すように、ディスプレイスクリーン４００はクイックリリースアセンブリ１００を用いて支持体３００の本体３１０に組み付けられる。
【００５６】
ディスプレイスクリーン４００を分解するには（例えば、メンテナンス又は調整のため）、図２及び図５を参照することができる。加えられた力でボタン１１３が押されて第１方向Ｄ１に移動するにつれて、ボタン１１３が係合板１１２に近づき、ボタン１１３の傾斜面１１３ａと従動止め板１１４の干渉により従動止め板１１４が第２方向Ｄ２に移動する。
【００５７】
図８と図９は、ボタンによって従動止め板を移動させる駆動によって第１リリースユニットから第２クイックリリースユニットが開放されることを示す概略図である。図４、図５、図８及び図９を参照し、より具体的には、ボタン１１３に力が加えられる時、ボタン１１３が第１方向Ｄ１に移動し、ボタン１１３の傾斜面１１３ａが従動止め板１１４の傾斜壁面１１４２を押して移動する。傾斜面１１３ａと傾斜壁面１１４２の間の協働によって、ボタン１１３を第１方向Ｄ１に移動させる力は、従動止め板１１４を第２方向Ｄ２に移動させる分力を生成し、固定フック１１４ａは固定孔１２１ｂから分離される。
【００５８】
図８と図９から分かるように、従動止め板１１４が第２方向Ｄ２に移動し、第２位置決め柱１１１ｂが滑動溝１１４ｂの比較的低い部分から滑動溝１１４ｂの比較的高い部分へ移動する。尚、滑動溝１１４ｂの長さは、従動止め板１１４が第２方向Ｄ２に移動する距離を制御して、従動止め板１１４の移動距離が他の構造に干渉することを防ぐことができ、それによって従動止め板１１４又は他の部材はスムーズに動作することができる。
【００５９】
また、第２位置決め柱１１１ｂが滑動溝１１４ｂの比較的上方に配置される時、従動止め板１１４が弾性部材１１５を押圧し、弾性部材１１５が変形して弾性復元力を蓄える。
【００６０】
固定フック１１４ａが固定孔１２１ｂから分離された後、ユーザはボタン１１３へ圧力を加えるのを停止することができる。バネ１１６が従動止め板１１４とボタン１１３との間に配置され、それによってボタン１１３は第１方向Ｄ１の反対側の方向に元の位置に移動することができる。
【００６１】
また、ボタン１１３が第１方向Ｄ１の反対方向に移動するにつれて、ボタン１１３の傾斜面１１３ａと従動止め板１１４との間の干渉が徐々に小さくなり、弾性部材１１５による弾性復元力が従動止め板１１４を元の位置に押し続ける。従って、従動止め板１１４の固定フック１１４ａも最終的に元の位置に戻る。
【００６２】
その後、ユーザがディスプレイスクリーン４００を少し上に移動すると、位置合わせフック１１２ａが位置合わせ孔１２１ａから解放され、第２クイックリリースユニット１２０が第１クイックリリースユニット１１０から完全に解放され、ディスプレイスクリーン４００が支持体３００の本体３１０から分解される。
【００６３】
この場合、ユーザは、ディスプレイスクリーン４００から第２クイックリリースユニット１２０を削除し、次に、第２クイックリリースユニット１２０の接合板１２１の取り付け孔１２１ｄの第２セットを用いて、第２クイックリリースユニット１２０を異なるサイズ又は重量の別のディスプレイスクリーン（図示せず）に取り付けることもできる。
【００６４】
次に、第１クイックリリースユニット１１０及び第２クイックリリースユニット１２０の前述の組み付けステップを繰り返すことにより、異なるサイズ又は重量の別のディスプレイスクリーン（図示せず）を支持体３００に組み付けることができる。
【００６５】
更に、異なる重量のディスプレイスクリーン４００に適応するために、支持体３００は通常、バネのプリテンション度を調整することができるメカニズムなど、支持力を有する調整可能なメカニズム（図示せず）である。このように、同じ規格の支持体３００が異なる重量のディスプレイスクリーン４００に適合して用いられることができる。
【００６６】
［第２実施形態］
図１０は、本考案の第２実施形態によるクイックリリースアセンブリの組み合わせの概略図である。図１１は、図１０のクイックリリースアセンブリの概略分解図である。図１０と図１１を参照し、本実施形態は第１実施形態に類似したものであり、両者の違いは、本実施形態のボタン２１３と従動止め板２１４は構造的に一体に形成されており、ボタン２１３の押圧方向は従動止め板２１４が移動する方向と同じであることである。
【００６７】
図１１から分かるように、ボタン２１３は２つの固定フック２１４ａの間に配置され、ボタン２１３は第１カバー１１１と係合板１１２の下から露出される。開口１１１ａも下に配置される。
【００６８】
簡単に述べれば、ボタン２１３と従動止め板２１４は構造的に一体に形成されているため、第２クイックリリースユニット２２０を第１クイックリリースユニット２１０から取り外す時、ボタン２１３を第２方向Ｄ２に押し込むだけでよく、ボタン２１３と構造的に一体に形成された従動止め板２１４はボタン２１３によって駆動され、第２方向Ｄ２に移動される。
【００６９】
また、（実施形態の）バネ１１６が更に省略されてもよく、一体に形成された従動止め板２１４とボタン２１３を元の位置に押し戻すために、弾性部材１１５の弾性復元力のみが必要とされる。
【００７０】
また、ボタン２１３と従動止め板２１４が構造的に一体に形成されるため、ボタン２１３に加わる力の影響がより直接的になり、構造は力の伝達方向を変えることを必要とせず、それによって比較的小さな力で第１クイックリリースユニット２１０から第２クイックリリースユニット２２０を解放して取り外すことができる。
【００７１】
ディスプレイデバイスの支持体への組み付け及びクイックリリースアセンブリの動きは第１実施形態で説明している。従って、本実施形態ではその説明を省略する。
【００７２】
以上のことから、本考案のクイックリリースアセンブリは、組立・分解が容易であり、操作方法が簡単であるという利点がある。更に、少なくとも１セットの取り付け孔を備えたクイックリリースアセンブリは、異なるサイズ又は重量のディスプレイスクリーンに適用可能である。従って、クイックリリースアセンブリを有する支持体は、異なるサイズ又は重量のディスプレイスクリーンにも適用可能であり、それによって支持体の共通性が改善され、開発及び製造コストが効果的に低減され、又は一般消費者が取り外し及び組み立てをする利便性が提供される。
【００７３】
本考案は上記の実施形態を参照して説明されているが、実施形態は本考案を限定することを意図していない。当業者は、本考案の精神及び範囲から逸脱することなく、変更及び修正を行うことができる。従って、本考案の保護範囲は、添付の実用新案登録請求の範囲に従う必要がある。
【産業上の利用可能性】
【００７４】
本開示のクイックリリースアセンブリ及び支持体は、異なるサイズのディスプレイスクリーンに適用可能である。
【符号の説明】
【００７５】
１００  クイックリリースアセンブリ
１１０、２１０  第１クイックリリースユニット
１１１  第１カバー
１１１ａ  開口
１１１ｂ  第２位置決め柱
１１１ｃ  第３位置決め柱
１１１１  上部カバー
１１１２  下部カバー
１１２  係合板
１１２ａ  位置合わせフック
１１２ｂ  第１位置決め柱
１１３、２１３  ボタン
１１３ａ  傾斜面
１１４、２１４  従動止め板
１１４ａ、２１４ａ  固定フック
１１４ｂ  滑動溝
１１４１  中央穿孔
１１４２  傾斜壁面
１１５  弾性部材
１１５ａ  リング部分
１１６  バネ
１２０、２２０  第２クイックリリースユニット
１２１  接合板
１２１ａ  位置合わせ孔
１２１ｂ  固定孔
１２１ｃ、１２１ｄ  取り付け孔
１２１１  第１ウィング
１２１２  第２ウィング
１２２  第２カバー
１２２ａ  主板
１２２ｂ  外部周囲板
１２２ｃ  内部周囲板
１２２ｄ  ノッチ
１２２ｅ  凹部空間
１２２２ａ  第１切り欠き
１２２２ｂ  第２切り欠き
３００  支持体
３１０  本体
３１２  ベース
３１４  直立体
３１４ａ  取り付け端
３２０  固定部材
４００  ディスプレイスクリーン
４１０  マウティング孔
Ｄ１  第１方向
Ｄ２  第２方向
【図１Ａ】
0003227620.tif 000003
【図１Ｂ】
0003227620.tif 000004
【図２】
0003227620.tif 000005
【図３】
0003227620.tif 000006
【図４】
0003227620.tif 000007
【図５】
0003227620.tif 000008
【図６】
0003227620.tif 000009
【図７】
0003227620.tif 000010
【図８】
0003227620.tif 000011
【図９】
0003227620.tif 000012
【図１０】
0003227620.tif 000013
【図１１】
0003227620.tif 000014
【図１２】
0003227620.tif 000015